(57)【要約】本出願の主題は、建物内部ですでに使用され、それによって、太陽光および周辺熱を集め当該エネルギーを屋根から転送することができる、サンドイッチパネルの設備である。公知の耐荷重性サンドイッチパネルの構成と同様に、本発明の構成要素は、耐荷重性の外部シートと内部シートとの間に挟まれている断熱材料からなる。シート形状が棟木の方向に配置されている場合でも、または垂木の方向に配置されている場合でも、シート形状が適切に配置されるなら、中空構造が、屋根の全長において、パネルの表面および内部に、垂木の方向に形成され、気体状材料の通路（空気ダクト（１、４））として機能する。これらの空気ダクト（外部空気ダクトおよび内部空気ダクト）が、互いに向かい合う端部で接続された場合、すなわち、上部空気反転室（８）において接続された場合、それらの中の物質は、パネルの外面、すなわち、外部プロファイル金属シート（２）に到達する熱を受けて、重力のみを利用して、独力で流れ始める。パネルの所定の点が熱交換器（６）により冷却された場合、自発的な流れは続く。空気ダクト（熱気ダクト（１）および冷気ダクト（４））に集められた熱は、冷却によりシステムの外へ運ばれ、われわれのエネルギー需要のために利用される。したがって、本出願の主題は、集熱器として機能するサンドイッチパネル（以下、集熱サンドイッチパネル）であり、当該集熱サンドイッチパネルは、建物の屋根構造として機能する、または屋根構造の不可欠な一部であり、屋根の構築に対して定められたすべての保護要件を必ず満たす。当該集熱サンドイッチパネルは、その特別な設計により、周辺熱を収集し、適合した公知の補助装置を使って、この熱を蓄熱器へ転送することができる。
2019516945.tif 000002
【特許請求の範囲】
【請求項１】
集熱器としての、建物の屋根構造用のサンドイッチパネル設備であって、
集熱サンドイッチパネル（３）の平面内に、２つのダクト列（好ましくは空気ダクト列（１、４））が垂木の方向に平行に走るように配置され、
建物に関して、前記外側熱気ダクト列（１）は、太陽光および周辺熱を吸収できる既知の構造材料からなる外面を有する金属シート（２）で覆われ、
分離断熱材（５）が、前記ダクト列（１、４）の各平面の間に配置され、
さらなる断熱材（５）が、屋根に関して、前記集熱サンドイッチパネル（３）の内側に配置され、
反転室（７、８）（好ましくは空気反転室）が、前記集熱サンドイッチパネル（３）の各端部に形成され、
前記集熱サンドイッチパネル（３）の前記上部空気反転室（８）内に、熱を排出するために冷却用媒体を流す冷却装置（６）が配置されていることを特徴とする、設備。
【請求項２】
前記集熱サンドイッチパネル（３）内の前記室は、下部空気反転室（７）および上部空気反転室（８）であり、
すべての前記熱気ダクト（１）および前記冷気ダクト（４）は、通例、すべての前記下部空気反転室（７）および前記上部空気反転室（８）に接続されていることを特徴とする、請求項１に記載の設備。
【請求項３】
前記屋根の内側に面する、前記集熱サンドイッチパネル（３）の前記断熱材（５）は、既知の断熱材、複合材料および／または組積材料であることを特徴とする、請求項１または２に記載の設備。
【請求項４】
請求項１〜３のいずれか１項に記載の集熱サンドイッチパネル屋根構造を使用する方法であって、輻射太陽光エネルギーおよび／または周辺熱エネルギーを利用する目的を果たすことを特徴とする、方法。
【請求項５】
前記集熱サンドイッチパネル（３）を用いて水または他の既知の蓄熱物質を加熱することを特徴とする、請求項４に記載の方法。
【請求項６】
前記集熱サンドイッチパネル（３）の前記ダクト（１、４）内の熱を転送するために気体状媒体が使用されることを特徴とする、請求項４または５に記載の方法。
【請求項７】
前記気体状媒体は大気圧の空気であることを特徴とする、請求項６に記載の方法。
【請求項８】
９０度未満の異なる傾斜を有する屋根平面において、前記集熱サンドイッチパネル（３）を使用することを特徴とする、請求項４〜７のいずれか１項に記載の方法。
【請求項９】
前記建物の内部に面する、前記集熱サンドイッチパネル（３）の前記断熱材（５）は、既知の断熱材および／または空間区画材料であることを特徴とする、請求項８に記載の方法。
【請求項１０】
前記建物の屋根構造として、および／または、当該屋根構造自体の不可欠な部分として、前記集熱サンドイッチパネル（３）を使用することを特徴とする、請求項４〜７のいずれか１項に記載の方法。
【請求項１１】
前記集熱サンドイッチパネル（３）は、前記屋根の内部に、長手方向に、垂木または母屋桁に平行であるように設置され、
前記熱気ダクト（１）および前記冷気ダクト（４）は、常に垂木に平行であることを特徴とする、請求項４〜１０のいずれか１項に記載の方法。
【発明の詳細な説明】
【発明の詳細な説明】
【０００１】
本出願の主題は、建物内部ですでに使用され、それによって、太陽光および周辺熱エネルギーを得て当該エネルギーを屋根から転送することができる、サンドイッチパネル設備である。
【０００２】
該当する構造要素は、公知の耐荷サンドイッチパネルと同様に、耐荷力シートの間に配置された断熱材を含む。シート形状が棟木の方向に配置されている場合でも、または垂木の方向に配置されている場合でも、シート形状が適切に組み立てられるならば、中空構造が、屋根の垂木の長さ全体に沿って、パネルの表面および内部に、垂木の方向に形成され、気体状材料の通路または空気ダクトとして機能する。これらの空気ダクト（外部空気ダクトおよび内部空気ダクトの両方）が、互いに対向するように端部で接続された場合、その中の物質は、パネルの外面に到達する熱を受けて、重力のみを利用して、独力で流れ始める。パネルの所定の点が冷却された場合、自発的な流れは続く。空気ダクトに集められた熱は、冷却によりシステムの外へ運ばれ、われわれのエネルギー需要のために利用される。
【０００３】
したがって、本出願の主題は、集熱器として機能するサンドイッチパネル（以下、集熱サンドイッチパネル）である。該集熱サンドイッチパネルは、建物の屋根構造を物理的に形成し、屋根構造の不可欠な部分を形成し、屋根の構築に必要なすべての保護要件を満たす。該集熱サンドイッチパネルは、その特別な設計により、周辺熱を吸収し、適合した公知の補助装置を使って、この熱を蓄熱器へ転送することができる。
【０００４】
化石燃料の供給は有限であるため、住宅および他の建物のエネルギー供給源として太陽光エネルギーを含むことは妥当である。これを実行するためのいくつかの解決策はすでに考え出され、たとえば、建物の外部に設置できる補助装置、または、建物の外部に形成され配置されたエネルギー資源を利用する設備がある。
【０００５】
太陽によって供給される再生可能なエネルギーの利用は、建物の直接的な物理的近傍においても行うことができる。たとえば、太陽光集熱器、太陽光パネル、住宅周囲の地中に敷設または穿設されたヒートポンプ、または２方向空気ヒートポンプなどがある。建物の断熱性を向上させること（パッシブハウス）、または、敷地の環境から得られるエネルギーを利用し、前記エネルギーの一部を定期的に送電網に戻すシステム(アクティブハウス)を使用することによって、電気エネルギーの消費量を低減することができる。
【０００６】
アイルランドのKingspan、スウェーデンのLindab、ハンガリーのMetalsheetのようなサンドイッチパネル製造業者の製品は、「パッシブハウス」に適合する。通常、これらの製品は、断熱値の選択範囲が広い。
【０００７】
また、「アクティブハウス」市場に供給するいくつかの製造業者がある。建物の近くの敷地でエネルギーを収集するための多くの解決策の一つとして、太陽光集熱器が言及されなければならない。
【０００８】
太陽光集熱器は、２つの主な実施原則に基づいてグループ化されることができる。
【０００９】
ａ）一般的に用いられる解決策によれば、液体が、様々な熱吸収材料に埋め込まれた配管内で循環される。当該配管は様々なフレームに配置され、それから屋根に設置される。前記液体は、加熱されると、パネルから、熱を利用する他のユニットに、熱を伝達する。周知の製造業者：ドイツのVaillant（EP2015000(A2) [2009.01.14.] 「Frame with solar absorbent tube and reception means」; DE10258711(A1) [2002.12.12.] 「Solar collector unit has several tubular collectors fixed on main collector body which is formed by extruded cast profiled section」）。「Recirculating natural convection solar energy collector」と題するUS 4,135,490に開示された解決策によれば、熱交換器は、前面が透明板により覆われ、且つ、他方の面が非透明板により覆われているフレームにおいて、複数の板によって隔てられた複数の空間を含むように形成されている。このように形成された熱交換器において、液体循環が発生し、吸収された熱を連続的に転送し利用することができる。同様の解決策は「Solar heat holder」と題するUS 3,987,782で提案されている。どちらの特許文献も、住宅建物の屋根に設置でき、別々に適用される熱交換器の説明および状態を含む。
【００１０】
ｂ）真空管太陽光集熱器は、より効率的な解決策を示す。２つのガラス管の間に真空が生成され、一方が他方に挿入されて、端部で密封されている。２つの管の間の真空は断熱機能を提供する。該内部密閉管は、太陽光に照射されると蒸発し、その後、管の低温端部で凝縮すると熱を伝える液体を収容する。物質の状態の変化によるエネルギーは熱の転送を可能にする。このシステムはパネルにも取り付けられている。このシステムは、多くの利点があるが、太陽からの輻射エネルギーのみが利用され、真空の絶縁性のために、周辺熱を利用することができない。「Absorber for electromagnetic energy」と題するEP 0 025 305 (A1) [1981.03.18.]に同様の解決策が開示されている。
【００１１】
太陽光エネルギーを直接に電気エネルギーに変換する太陽光パネルも言及されるべきである。太陽光パネルは、２０世紀に開発された半導体の応用方法を基に、広く利用されている。とりわけ、「Method and apparatus for generation of electrical power from solar energy」と題するUS 2005081908 (A1) [2005.04.21.]にこのような解決策が開示されている。
【００１２】
上記の各解決策の欠点は、エネルギーを獲得するのに使用可能な建物の表面のうち、わずかな部分しか利用しないことである。さらに、主に太陽の輻射エネルギーを利用し、周囲エネルギーを利用しない、または、ごくわずかしか利用しないことも、上記の各解決策の欠点である。
【００１３】
上記の各解決策のさらなる欠点は、建物の一部を成さないことである。上記の各解決策は、既存の建物に取り付け可能なユニット、および、既存の建物に取り付け可能な他の装置から成っている。それらの使用は建造コストを低減することができない。
【００１４】
上記の各欠点をなくすために、新たな解決策が、以下の認識に基づいて提案されている。その認識とは、建物の屋根構造は、屋根表面の大部分または屋根表面全体が熱交換サンドイッチパネルからなり（これについては以下で詳述する）、該熱交換サンドイッチパネルは、収集器として機能し、構成要素のすべての構造上の要求を満たし、輻射熱だけでなく周辺熱も吸収し利用することができるように設計できる、という認識である。さらに、透明な外部カバー板を用いる必要はない。吸熱器として機能するプロファイル金属シートカバー板、または熱伝導性リブ付き発泡金属を使用することにより、周辺熱も利用することができる。
【００１５】
穴居人が太陽に背中を向けたとき、すでに輻射エネルギーを利用していた。一方、循環式熱交換器の原理を人類が用いてきたのは、数百年に過ぎない。他の公知の太陽光パネルの特許に比べ、本発明の本質は完全に異なる新たな空間的配置である。この配置では、建物の従来の屋根構造の代わりに、屋根が、新たな集熱サンドイッチパネル設備により、輻射エネルギーおよび周囲エネルギーを収集かつ伝達することができる。
【００１６】
建物の屋根裏空間は、新たに開発された集熱サンドイッチパネルに覆われている。各パネルは側面に沿って組み合わせられ、組み立てられて、屋根、すなわち、建物の構造部分を形成する。ヒートポンプを利用することにより、大きな表面上で熱を吸収し、これにより、曇った天候でも、中程度の温度差しかなくても、かなりの量の熱エネルギーを提供することができる。
【００１７】
以下、本発明をより詳細に説明する。
【図面の簡単な説明】
【００１８】
【図１】建物の屋根構造を構成する集熱サンドイッチパネル３の配置を示す図である。
【図２】建物の屋根構造を構成する集熱サンドイッチパネル３の作動原理を示す図である。
【図３】本発明の好適な実施形態を表わす３つの異なる集熱サンドイッチパネルの断面を示す図である。もちろん、本発明を利用することにより、さらなるシート形状を形成することができる。
【図４】本発明の好適な実施形態を表わす３つの異なる集熱サンドイッチパネルの断面を示す図である。もちろん、本発明を利用することにより、さらなるシート形状を形成することができる。
【図５】本発明の好適な実施形態を表わす３つの異なる集熱サンドイッチパネルの断面を示す図である。もちろん、本発明を利用することにより、さらなるシート形状を形成することができる。
【図６】好適な両切妻屋根の配置における上部空気反転室８とその位置を、内部熱交換器によって部分的に隠された状態で、点線によって示す図である。
【図７】下部空気反転室７とその位置を示す図である。
【００１９】
概略
集熱サンドイッチパネル３の平面において、２つのダクト列（好ましくは空気ダクト列１、４）は垂木の方向に平行して走るように配置されている。建物に関して、外側熱気ダクト列１は、太陽光および周辺熱を吸収できる既知の構造材料からなる外面を有する外部プロファイル金属シート２で覆われている。該金属シートは、好ましくは波形金属シート、さらに好ましくは台形プロファイル金属シートまたはアルミニウムの発泡形状である。２つのダクト列１、４の間には断熱材５が配置されている。また、屋根に関して、集熱サンドイッチパネル３の内側には断熱材５が設けられている（図３、４および５）。集熱サンドイッチパネル３の各端部には、空気反転室７、８が設けられている（図６および７）。
【００２０】
集熱サンドイッチパネル３の上部空気反転室８内には、システムから熱を排出するために冷却用媒体を流す冷却装置６が配置されている（図２および６）。
【００２１】
本発明の機能の詳細な説明
建物の屋根構造に関して外側にある外側熱気ダクト１の一方の側は、外部プロファイル金属シート２を介して、太陽光および周辺熱を吸収する。冷気ダクト列４は、集熱サンドイッチパネル３の内側に位置し、断熱材５のさらなる層により建物の内部から分離される。該ダクト１、４は、好ましくは、屋根の平面の底部から棟まで、垂木の方向にパネルを貫く空気ダクトである。
【００２２】
集熱サンドイッチパネル３の上端部および下端部には、空気反転室７、８が設けられており、パネル内の媒体の循環を可能にする。空気ダクト内の媒体の循環は、好ましくは、重力によって、または必要に応じて強制循環によって行われる。
【００２３】
冷却装置６は、上部空気反転室８（ホットポイント）に配置されている。該上部空気反転室８は、従来広く使用されている冷却用媒体を内部で循環させて熱を引き出すものであり、好ましくは、ヒートポンプの低温側が該上部空気反転室８内部に接続されている。
【００２４】
加熱された媒体が外側熱気ダクト１を上昇する間、冷却された媒体は内側冷気ダクト４を下降する。
【００２５】
集熱サンドイッチパネル３は、建物の外側の部分と内側の部分との間の断熱区切りに適した様々な構造材料（例えば、金属、プロファイルシート、断熱材料）を用いて形成され、自己支持サンドイッチパネル構造を形成するとともに、適切な寸法を有するならば、静力学の要求に従って、母屋桁または垂木に支持される屋根要素としても機能する。したがって、屋根構造においてさらなる母屋桁または棟木の設置が不要である。
【００２６】
外部制限プロファイル金属シート２は、好ましくは適切な熱伝導性を有する金属シートであり、入射光で暖まり、空気ダクトの近傍に外部熱を伝達するものであり、さらに、熱膨張に耐え、剛性を高めるために、組み合わせ式および／またはリブ付きプロファイルシートとして形成されている。当然ながら、プロファイルシートの使用により、伝熱面も増加し、屋根の平面に対して垂直でない光を、より効率的に、よりよく利用することができる。
【００２７】
集熱サンドイッチパネル３の各構成要素（例えば、外部シート、内部シート、カバーシート、熱気ダクト１、冷気ダクト４）を、機械的な、非熱伝導性材料（例えば、プラスチックねじまたは成形要素）により相互に連結することで、集熱サンドイッチパネル３の構造強度を大幅に向上させ、それにより、シートの厚さが最適で、範囲がより大きなパネル構造を形成することができる。
【００２８】
以下、本発明に係る集熱サンドイッチパネル３の寸法を決定するための２つの実施例を示す。本発明は、当該実施例によって所定の形状、大きさ、寸法に限定されるものではなく、使用される材料の特徴を考慮し、所定の要件に従って、単純な計算および実験により、寸法を再決定することができる。
【００２９】
実施例１（図３）外側空気ダクト１および内側空気ダクト４の両方が、六角形断面を有する。
2019516945.tif 000003
【００３０】
実施例２（図４）外側空気ダクト列１は、六角形断面のダクトからなる。内側空気ダクト列４は、円形断面のダクトからなる。
2019516945.tif 000004
【００３１】
空気ダクト１、４内の伝熱媒体は、好ましくは大気圧下または他の気圧下にあり、重力または力によって循環される。循環伝熱媒体は、異なる物質から選ぶことができる。好ましくは、気体状物質、より好ましくは大気が使用される。
【００３２】
下部空気反転室７の底部には小穴が穿設されており、システムから凝縮液が自由に排出される。
【００３３】
空気を伝熱媒体として用いる本発明の動作
熱気ダクト１内の媒体が、外部制限プロファイル金属シート２（好ましくはリブ付き金属シート）の温度を奪う。熱のため、該媒体は膨張し密度が減少する。冷気ダクト４内のより重い媒体が、下部空気室７を通って高温媒体に取って代わろうとし、当該高温媒体をパネルの上部空気室８まで押し上げる。
【００３４】
上部空気室８では、高温空気は、その熱を冷却装置６に渡し、冷却化しながら体積が減少する。その密度が上昇するので、冷気ダクト４に沈下する。したがって、連続的な加熱および冷却の結果、熱気ダクト１および冷気ダクト４において、媒体が自己循環する。奪われた熱および冷却装置６内の液体は、さらに公知の用途に使用される。好ましくは、温水タンクにさらに温水を貯蔵し、家庭に温水を供給するための他の技術を使用して、建物を暖房したり、さらには電気エネルギーを発生させたりするのに用いられる。
【００３５】
建物内での利用では、さらなる熱の吸収が必要でない場合、下部空気反転室７および上部空気反転室８の端部に位置する換気窓が、制御しつつ開放され、その結果、上部窓を介して、パネルから暖かい媒体（空気）が自由に流出する。このように、空気流がパネルからの熱を環境に伝えるので、建物に対する熱負荷を増大させないことができる。
【００３６】
もちろん、集熱サンドイッチパネル３は、傾斜角度の異なる屋根に使用することができる。周知のように、屋根の傾斜および向きは、可能な最大収率に大きな影響を及ぼす。
【符号の説明】
【００３７】
１熱気ダクト
２外部制限プロファイル金属シート
３集熱サンドイッチパネル
４冷気ダクト
５断熱材
６冷却装置
７下部空気反転室
８上部空気反転室
９凝縮排水孔
ａ冷気ダクト間の距離
ｂ、ｃ、ｅ台形シートの寸法
ｄ断熱パネルの厚さ
ｆパネル構造の総厚さ
Ｓ１熱気ダクトの断面
Ｓ２冷気ダクトの断面
【図１】
2019516945.tif 000005
【図２】
2019516945.tif 000006
【図３】
2019516945.tif 000007
【図４】
2019516945.tif 000008
【図５】
2019516945.tif 000009
【図６】
2019516945.tif 000010
【図７】
2019516945.tif 000011
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
輻射太陽光エネルギーおよび周辺熱を利用する、建物の屋根構造用の屋根パネル設備であって、当該設備は屋根パネル（３）を含み、
当該屋根パネル（３）は、
断熱材（５）と、気体状媒体で満たされた、少なくとも１つの熱気ダクト（１）および少なくとも１つの冷気ダクト（４）と、前記屋根パネル（３）の下端部および上端部に形成されている下部空気反転室（７）および上部空気反転室（８）と、を含み、
当該設備は、前記上部空気反転室（８）に設けられており、熱を排出するために冷却用媒体を流す冷却装置（６）をさらに含み、
前記熱気ダクト（１）および前記冷気ダクト（４）が、前記屋根パネル（３）の平面内に設けられており、垂木の方向へ配置されており、
前記熱気ダクト（１）は太陽光および周辺熱を吸収できる外表面を有する金属シート（２）に覆われており、
前記冷気ダクト（４）は前記断熱材（５）の内側に形成されており、
前記下部空気反転室（７）および前記上部空気反転室（８）は、すべての前記熱気ダクト（１）およびすべての前記冷気ダクト（４）に接続されていることを特徴とする、設備。
【請求項２】
前記下部空気反転室（７）および前記上部空気反転室（８）の端部に換気窓が配置されていることを特徴とする、請求項１に記載の設備。
【請求項３】
前記下部空気反転室（７）は凝縮排水孔（９）を含むことを特徴とする、請求項１または２に記載の設備。
【請求項４】
前記断熱材（５）は複数の要素からなり、
前記冷気ダクト（４）は前記要素の間に配置されていることを特徴とする、請求項１〜３に記載の設備。
【請求項５】
前記断熱材（５）は、既知の断熱材、複合材料および／または組積材料であることを特徴とする、請求項１〜４のいずれか１項に記載の設備。
【請求項６】
請求項１に記載の設備を使用する方法であって、
太陽光エネルギーおよび／または周辺熱により、前記金属シート（２）を加熱し、それによって前記熱気ダクト（１）の内の前記気体状媒体を加熱するステップと、
加熱された前記気体状媒体を前記上部空気反転室（８）へ運ぶステップと、
前記冷却装置（６）により、前記気体状媒体を冷却し、それによって、前記冷却装置（６）内を流れる冷却媒体を加熱するステップと、
冷却された前記気体状媒体を、前記冷気ダクト（４）を介して前記下部空気反転室（７）へ運ぶステップと、
そのあとに、前記気体状媒体を前記上部空気反転室（８）に向かって前記熱気ダクト（１）へガイドし、それによって、前記媒体の自己循環を行うステップと、を含むことを特徴とする、方法。
【請求項７】
前記冷却装置（６）内の前記加熱された流れる冷却媒体を用いて、水タンクを加熱したり、熱を貯蔵したり、家庭に温水を供給したり、建物を暖めたり、または、電気エネルギーを発生させたりするステップをさらに含むことを特徴とする、請求項６に記載の方法。
【請求項８】
前記屋根パネル（３）を、前記屋根の内部に、長手方向に、垂木または母屋桁に平行であるように設置するステップをさらに含み、
このステップにおいては、前記下部空気反転室（７）から前記上部空気反転室（８）へ向かっている前記熱気ダクト（１）および前記冷気ダクト（４）を、前記垂木に平行にしていることを特徴とする、請求項６または７に記載の方法。
【請求項９】
９０度未満の異なる傾斜を有する屋根平面において、前記屋根パネル（３）を使用することを特徴とする、請求項６〜８のいずれか１項に記載の方法。
【請求項１０】
前記建物の屋根構造として、および／または、当該屋根構造自体の不可欠な部分として、前記屋根パネル（３）を使用することを特徴とする、請求項６〜９のいずれか１項に記載の方法。
【請求項１１】
前記気体状媒体を用いて、前記熱気ダクト（１）および前記冷気ダクト（４）の中で熱を運ぶステップをさらに含み、
前記気体状媒体は大気圧の空気であることを特徴とする、請求項６〜１０のいずれか１項に記載の方法。
【手続補正３】
【補正対象書類名】明細書
【補正対象項目名】０００１
【補正方法】変更
【補正の内容】
【０００１】
本発明の主題は、建物内部ですでに使用され、それによって、太陽光および周辺熱エネルギーを得て当該エネルギーを屋根から転送することができる、屋根パネル設備である。さらに、本発明の主題は、該設備を使用する方法である。
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】変更
【補正の内容】
【０００４】
化石燃料の供給は有限であるため、住宅および他の建物のエネルギー供給源として太陽光エネルギーを含むことは妥当である。これを実行するためのいくつかの解決策はすでに考え出され、たとえば、建物の屋根の上に設置できる補助装置、または、建物のそばに形成され配置されたエネルギー資源を利用する設備がある。
【手続補正７】
【補正対象書類名】明細書
【補正対象項目名】０００５
【補正方法】変更
【補正の内容】
【０００５】
太陽によって供給される再生可能なエネルギーの利用は、建物の直接的な物理的近傍においても行うことができる。たとえば、太陽光集熱器、太陽光パネル、住宅周囲の地中に敷設または穿設されたヒートポンプ、または２方向空気ヒートポンプなどがある。建物の断熱性を向上させること（パッシブハウス）、または、敷地の環境から得られるエネルギーを利用し、前記エネルギーの一部を定期的に送電網に戻すシステム(アクティブハウス)を使用することによって、エネルギーの消費量を低減することができる。
【手続補正８】
【補正対象書類名】明細書
【補正対象項目名】０００６
【補正方法】変更
【補正の内容】
【０００６】
アイルランドのKingspan、スウェーデンのLindab、ハンガリーのMetalsheetのようなサンドイッチ屋根パネル製造業者の製品は、「パッシブハウス」に適合する。通常、これらの製品は、断熱値の選択範囲が広い。
【手続補正９】
【補正対象書類名】明細書
【補正対象項目名】０００９
【補正方法】変更
【補正の内容】
【０００９】
ａ）一般的に用いられる解決策によれば、液体が、様々な熱吸収材料に埋め込まれた配管内で循環される。当該配管は様々なフレームに配置され、それから屋根に設置される。前記液体は、加熱されると、パネルから、熱を利用する他のユニットに、熱を伝達する。周知の製造業者：ドイツのVaillant（EP2015000(A2) [2009.01.14.] 「Frame with solar absorbent tube and reception means」; DE10258711(A1) [2002.12.12.] 「Solar collector unit has several tubular collectors fixed on main collector body which is formed by extruded cast profiled section」）。文献US 4,237,866には、複数の液体通路を有するソーラーヒーターが開示されている。ガラス製の複数の透明な被覆板を介して、液体は輻射太陽光エネルギーのみによって加熱される。太陽輻射が複数の層を通過する必要があるため、ソーラーヒーターの効率が低い。さらに、該ヒーターは屋根にもともと備わっている部分ではない。「Recirculating natural convection solar energy collector」と題するUS 4,135,490に開示された解決策によれば、熱交換器は、前面が透明板により覆われ、且つ、他方の面が非透明板により覆われているフレームにおいて、複数の板によって隔てられた複数の空間を含むように形成されている。このように形成された熱交換器において、液体循環が発生し、吸収された熱を連続的に転送し利用することができる。該装置は同様の欠点があり、すなわち、複数の板があるため、効率が低い。同様の解決策は「Solar heat holder」と題するUS 3,987,782で提案されている。どちらの特許文献も、住宅建物の屋根に設置でき、別々に適用される熱交換器の説明および状態を含む。文献US 4,284,066にも、装置の効率を低下させるいくつかの熱吸収層および被覆板を含む「ソーラー液体ヒーター」が開示されている。最上層はガラスまたはプラスチックである。該装置も、屋根および保持構造と一体化した部分ではなく、屋根の上面に設けるように設計されている。
【手続補正１０】
【補正対象書類名】明細書
【補正対象項目名】００１４
【補正方法】変更
【補正の内容】
【００１４】
上記の各欠点をなくすために、新たな解決策が、以下の認識に基づいて提案されている。その認識とは、建物の屋根構造は、屋根表面の大部分または屋根表面全体が熱交換屋根パネルからなり（これについては以下で詳述する）、該熱交換サンドイッチパネルは、集熱器として機能し、構成要素のすべての構造上の要求を満たし、輻射熱だけでなく周辺熱も吸収し利用することができるように設計できる、という認識である。さらに、透明な外部カバー板を用いる必要はない。吸熱器として機能するプロファイル金属シートカバー板、または熱伝導性リブ付き発泡金属を使用することにより、周辺熱も利用することができる。本発明は、公知の耐荷サンドイッチパネルと同様に、耐荷力シートの間に配置された断熱材を含む構造要素である。シート形状が棟木の方向に配置されている場合でも、または垂木の方向に配置されている場合でも、シート形状が適切に組み立てられるなら、中空構造が、屋根の垂木の長さ全体に沿って、パネルの表面および内部に、垂木の方向に形成され、空気ダクトの中の気体状材料の通路として機能する。これらの空気ダクト（外部空気ダクトおよび内部空気ダクト）が、互いに対向するように端部で接続された場合、その中の物質は、パネルの外面に到達する熱を受けて、重力のみを利用して、独力で流れ始める。パネルの所定の点において、該物質が冷却された場合、自発的な流れは続く。空気ダクトに集められた熱は、冷却によりシステムの外へ輸送され、さらに、われわれの需要に応えてエネルギーを供給するために利用されることができる。したがって、本出願の主題は、屋根パネルである。当該屋根パネルは、集熱器として機能し、建物の屋根構造を物理的に形成し、屋根構造の不可欠な部分を形成し、屋根の構築に対して定められたすべての保護要件を必ず満たす。当該屋根パネルは、その特別な設計により、周辺熱を吸収し、適合した公知の補助装置を使って、この熱を蓄熱器へ転送することができる。
【手続補正１１】
【補正対象書類名】明細書
【補正対象項目名】００１５
【補正方法】変更
【補正の内容】
【００１５】
穴居人が太陽に背中を向けたとき、すでに輻射エネルギーを利用していた。一方、循環式熱交換器の原理を人類が用いてきたのは、数百年に過ぎない。他の公知の太陽光パネルの特許に比べ、本発明の本質は完全に異なる新たな空間的配置である。この配置では、建物の従来の屋根構造と比較して、屋根が、新たな屋根パネル設備により、輻射エネルギーおよび周囲エネルギーを収集かつ伝達することができる。
【手続補正１２】
【補正対象書類名】明細書
【補正対象項目名】００１６
【補正方法】変更
【補正の内容】
【００１６】
屋根裏空間または建物自体は、新たに開発された屋根パネルが側面に沿って組み合わせられ、組み立てられたものに覆われている。当該パネルは屋根を形成している。すなわち、建物の構造部分である。大きな表面上での熱吸収、および、ヒートポンプの利用により、曇った天候でも、中程度の温度差しかなくても、かなりの量の熱エネルギーを提供することができる。
【手続補正１３】
【補正対象書類名】明細書
【補正対象項目名】００１８
【補正方法】変更
【補正の内容】
【００１８】
【図１】建物の屋根構造を構成する屋根パネル３の配置を示す図である。
【図２】建物の屋根構造を構成する屋根パネル３の作動原理を示す図である。
【図３】本発明の好適な実施形態を表わす屋根パネルの断面を示す図である。もちろん、本発明を利用することにより、さらなるシート形状を形成することができる。
【図４】本発明の好適な実施形態を表わす屋根パネルの断面を示す図である。もちろん、本発明を利用することにより、さらなるシート形状を形成することができる。
【図５】本発明の好適な実施形態を表わす屋根パネルの断面を示す図である。もちろん、本発明を利用することにより、さらなるシート形状を形成することができる。
【図６】好適な両切妻屋根の配置における上部空気反転室８とその位置を、内部熱交換器によって部分的に隠された状態で、点線によって示す図である。
【図７】下部空気反転室７とその位置を示す図である。
【手続補正１４】
【補正対象書類名】明細書
【補正対象項目名】００１９
【補正方法】変更
【補正の内容】
【００１９】
概略
屋根パネル３の平面において、２つのダクト列（好ましくは熱気ダクト１の列および冷気ダクト４の列）は垂木の方向に平行して走るように配置されている。熱気ダクト１の列の外側は、太陽光および周辺熱を吸収できる既知の構造材料からなる外面を有する外部プロファイル金属シート２で覆われている。該金属シートは、好ましくは波形金属シート、さらに好ましくは台形プロファイル金属シートまたはアルミニウムの発泡形状である。熱気ダクト１の列および冷気ダクト４の列の間に、且つ、屋根パネル３の内側に、断熱材５が配置されている（図３、４および５）。断熱材５は、１つの断熱材料（図４）、または、互いに連結されて、サンドイッチのような構造を形成する別々の断熱材料（図３および５）からなることができる。屋根パネル３の下端部および上端部において、空気反転室７、８がそれぞれ設けられている（図６および７）。空気反転室７、８はそれぞれ棟および母屋桁に位置し、複数の熱気ダクト１と複数の冷気ダクト４を一体的に連結させる。下部空気反転室７も上部空気反転室８も、それぞれ棟および母屋桁に沿って伸びるからである。
【手続補正１５】
【補正対象書類名】明細書
【補正対象項目名】００２０
【補正方法】変更
【補正の内容】
【００２０】
屋根パネル３の上部空気反転室８内には、システムから熱を排出するために冷却用媒体を流す冷却装置６が配置されている。この構成では、冷却装置６のＵ型の指が冷気ダクト４の上端部に設けられている（図２および６）。
【手続補正１６】
【補正対象書類名】明細書
【補正対象項目名】００２１
【補正方法】変更
【補正の内容】
【００２１】
本発明の機能の詳細な説明
熱気ダクト１の外側は、外部プロファイル金属シート２を介して、太陽光および周辺熱を吸収する。冷気ダクト４の列は、屋根パネル３の内側に位置し、断熱材５により建物の内部から分離される。該熱気ダクト１および冷気ダクト４は、好ましくは、屋根の平面の底部から棟まで、垂木の方向に屋根パネル３を貫く。
【手続補正１７】
【補正対象書類名】明細書
【補正対象項目名】００２２
【補正方法】変更
【補正の内容】
【００２２】
屋根パネル３の上端部および下端部には、上部空気反転室８および下部空気反転室７が設けられており、屋根パネル３内の媒体の循環を可能にする。熱気ダクト１および冷気ダクト４内の媒体の循環は、好ましくは、重力によって、または必要に応じて強制循環によって行われる。
【手続補正１８】
【補正対象書類名】明細書
【補正対象項目名】００２４
【補正方法】変更
【補正の内容】
【００２４】
加熱された媒体が熱気ダクト１を上昇する間、冷却された媒体は冷気ダクト４を下降する。
【手続補正１９】
【補正対象書類名】明細書
【補正対象項目名】００２５
【補正方法】変更
【補正の内容】
【００２５】
屋根パネル３は、建物の外側の空間と内側の空間との間の断熱区切りに適した様々な構造材料（例えば、金属、プロファイルシート、断熱材料）を用いて形成され、自己支持屋根パネル構造を形成するとともに、適切な寸法を有するならば、静力学の要求に従って、母屋桁または垂木に支持される屋根要素としても機能する。したがって、屋根構造においてさらなる母屋桁または棟木の設置が不要である。
【手続補正２０】
【補正対象書類名】明細書
【補正対象項目名】００２６
【補正方法】変更
【補正の内容】
【００２６】
外部制限プロファイル金属シート２は、好ましくは適切な熱伝導性を有する金属シートであり、入射光で暖まり、隣の空気ダクトに外部熱を伝達するものであり、さらに、熱膨張に耐え、剛性を高めるために、組み合わせ式および／またはリブ付きプロファイルシートとして形成されている。当然ながら、プロファイルシートの使用により、伝熱面も増加し、屋根の平面に対して垂直でない光を、より効率的に、よりよく利用することができる。
【手続補正２１】
【補正対象書類名】明細書
【補正対象項目名】００２７
【補正方法】変更
【補正の内容】
【００２７】
屋根パネル３の各構成要素（例えば、外部シート、内部シート、カバーシート、熱気ダクト１、冷気ダクト４）を、機械的な、非熱伝導性材料（例えば、プラスチックねじまたは成形要素）により相互に連結することで、屋根パネル３の構造強度を大幅に向上させ、それにより、シートの厚さが最適で、範囲がより大きなパネル構造を形成することができる。
【手続補正２２】
【補正対象書類名】明細書
【補正対象項目名】００２９
【補正方法】変更
【補正の内容】
【００２９】
実施例１（図３）：熱気ダクト１および冷気ダクト４の両方が、六角形断面を有する。
2019516945.tif 000012
【手続補正２３】
【補正対象書類名】明細書
【補正対象項目名】００３０
【補正方法】変更
【補正の内容】
【００３０】
実施例２（図４）：熱気ダクト１は、六角形断面のダクトからなる。冷気ダクト４は、円形断面のダクトからなる。
2019516945.tif 000013
【手続補正２４】
【補正対象書類名】明細書
【補正対象項目名】００３１
【補正方法】変更
【補正の内容】
【００３１】
熱気および冷気ダクト１、４内の伝熱媒体は、好ましくは大気圧下または他の気圧下にあり、重力または力によって循環される。循環伝熱媒体は、異なる物質から選ぶことができる。好ましくは、気体状物質、より好ましくは大気が使用される。
【手続補正２５】
【補正対象書類名】明細書
【補正対象項目名】００３２
【補正方法】変更
【補正の内容】
【００３２】
下部空気反転室７の底部には小穴が穿設されており、システムから凝縮液が自由に排出される凝縮排水孔９を形成している。
【手続補正２６】
【補正対象書類名】明細書
【補正対象項目名】００３３
【補正方法】変更
【補正の内容】
【００３３】
空気を伝熱媒体として用いる本発明の動作
熱気ダクト１内の媒体が、外部制限プロファイル金属シート２（好ましくはリブ付き金属シート）の温度を奪う。熱のため、該媒体は膨張し密度が減少する。冷気ダクト４内のより重い媒体が、下部空気反転室７を通って高温媒体に取って代わろうとし、当該高温媒体を屋根パネル３の上部空気反転室８まで押し上げる。
【手続補正２７】
【補正対象書類名】明細書
【補正対象項目名】００３４
【補正方法】変更
【補正の内容】
【００３４】
上部反転空気室８では、高温空気は、その熱を冷却装置６に渡し、冷却化しながら体積が減少する。その密度が上昇するので、冷気ダクト４に沈下する。連続的な加熱および冷却の結果、熱気ダクト１および冷気ダクト４において、媒体が自己循環する。冷却装置６内の液体により奪われた熱は、さらに公知の用途に使用される。好ましくは、温水タンクにさらに温水を貯蔵し、家庭に温水を供給するための他の技術を使用して、建物を暖房したり、さらには電気エネルギーを発生させたりするのに用いられる。さらに、屋根パネル３を用いて、水または他の既知の蓄熱物質を加熱することができる。
【手続補正２８】
【補正対象書類名】明細書
【補正対象項目名】００３６
【補正方法】変更
【補正の内容】
【００３６】
もちろん、屋根パネル３は、傾斜角度の異なる屋根に使用することができる。周知のように、屋根の傾斜および向きは、可能な最大収率に大きな影響を及ぼす。
【手続補正２９】
【補正対象書類名】明細書
【補正対象項目名】００３７
【補正方法】変更
【補正の内容】
【００３７】
１熱気ダクト
２金属シート
３屋根パネル
４冷気ダクト
５断熱材
６冷却装置
７下部空気反転室
８上部空気反転室
９凝縮排水孔
ａ冷気ダクト間の距離
ｂ、ｃ、ｅ台形シートの寸法
ｄ断熱パネルの厚さ
ｆパネル構造の総厚さ
Ｓ１熱気ダクトの断面
Ｓ２冷気ダクトの断面
【国際調査報告】
2019516945.tif 000014
2019516945.tif 000015
2019516945.tif 000016